(57)【特許請求の範囲】
【請求項１】
複数のファイルデータをデータカルーセル方式で伝送するデータ伝送方法において、
データカルーセル方式で伝送される複数のファイルデータの更新を監視するステップと、
更新されたファイルデータを検出した場合、前記検出された更新されたファイルデータの送出順序を上位に変更するステップと
を有することを特徴とするデータ伝送方法。
【請求項２】
更新されたファイルデータの送出順序を最上位に変更することを特徴とする請求項１に記載のデータ伝送方法。
【請求項３】
データカルーセル方式で伝送されるファイルデータと、複数の圧縮されたデータとを多重して伝送するデータ伝送方法において、
データカルーセル方式で伝送される複数のファイルデータの更新を監視するステップと、
更新されたファイルデータを検出した場合、前記検出された更新されたファイルデータの送出順序を上位に変更するステップと
を有することを特徴とするデータ伝送方法。
【請求項４】
更新されたファイルデータの送出順序を最上位に変更することを特徴とする請求項３に記載のデータ伝送方法。
【請求項５】
更新されたファイルデータの更新データ量を検出するステップと、
前記更新データ量が所定の閾値を超えた場合、他の圧縮されて伝送されるデータのうち任意のデータの圧縮率を上げ、データカルーセル方式で伝送されるファイルデータの伝送ビットレートを上げて送出するステップと、
前記更新されたファイルデータ送出の終了を検出するステップと、
前記更新されたファイルデータ送出の終了が検出されると、圧縮率を上げられたデータの圧縮率を元に戻して送出するステップと
を有することを特徴とする請求項３又請求項４に記載のデータ伝送方法。
【請求項６】
前記任意のデータは、最も圧縮率が低いデータであることを特徴とする請求項３から請求項５のいずれかに記載のデータ伝送方法。
【請求項７】
データカルーセル方式で伝送されるファイルデータがデータ放送のデータであり、圧縮されて伝送されるデータが映像データ及び／又は音声データであることを特徴とする請求項３から請求項６のいずれかに記載のデータ伝送方法。
【請求項８】
データカルーセル方式で伝送されるファイルデータと、複数の圧縮されたデータとを多重して伝送するデータ伝送方法において、
更新されたファイルデータの更新データ量を検出するステップと、
前記更新データ量が所定の閾値を超えた場合、他の圧縮されて伝送されるデータのうち任意のデータの圧縮率を上げ、データカルーセル方式で伝送されるファイルデータの伝送ビットレートを上げて送出するステップと、
前記更新されたファイルデータ送出の終了を検出するステップと、
前記更新されたファイルデータ送出の終了が検出されると、圧縮率を上げられたデータの圧縮率を元に戻して送出するステップと
を有することを特徴とするデータ伝送方法。
【請求項９】
複数のファイルデータをデータカルーセル方式で伝送するデータ伝送システムであって、
データカルーセル方式で伝送される複数のファイルデータと、
前記ファイルデータを更新する更新手段と、
前記複数のファイルデータの更新を監視する監視手段と、
前記監視手段によって更新されたファイルデータを検出した場合、前記検出された更新されたファイルデータの送出順序を上位に変更して送出する送出順序変更手段と
を有することを特徴とするデータ伝送システム。
【請求項１０】
更新されたファイルデータの送出順序を最上位に変更することを特徴とする請求項９に記載のデータ伝送システム。
【請求項１１】
データカルーセル方式で伝送されるファイルデータと、複数の圧縮されたデータとを多重して伝送するデータ伝送システムにおいて、
データカルーセル方式で伝送される複数のファイルデータと、
伝送する複数のデータと、
前記複数のデータの各々を所定の圧縮率で圧縮する圧縮手段と、
前記データカルーセル方式のファイルデータと前記圧縮されたデータとを多重化する多重化手段と、
前記ファイルデータを更新する更新手段と、
前記複数のファイルデータの更新を監視する監視手段と、
前記監視手段によって更新されたファイルデータを検出した場合、前記検出された更新されたファイルデータの送出順序を上位に変更し、前記多重化手段に送出する送出順序変更手段と
を有することを特徴とするデータ伝送システム。
【請求項１２】
更新されたファイルデータの送出順序を最上位に変更することを特徴とする請求項１１に記載のデータ伝送システム。
【請求項１３】
更新されたファイルデータの更新データ量を検出する手段と、
前記更新されたファイルデータ送出の終了を検出する手段と、
前記更新データ量が所定の閾値を超えた場合、前記圧縮手段を制御して任意のデータの圧縮率を上げ、前記更新されたファイルデータ送出の終了が検出されると、前記圧縮手段を制御して前記任意のデータの圧縮率を元に戻す圧縮制御手段と、
前記データ更新量が所定の閾値を超えた場合、データカルーセル方式で伝送されるファイルデータの伝送ビットレートに、他のデータの圧縮率が上がったことによって生じる伝送レート分を追加し、前記ファイルデータの伝送レートを増加する手段と、
前記更新されたファイルデータの送出の終了が検出された場合には、ファイルデータの伝送レートを元に戻す手段と
を有することを特徴とする請求項１１又は請求項１２に記載のデータ伝送システム。
【請求項１４】
前記任意のデータは、最も圧縮率が低いデータであることを特徴とする請求項１１から請求項１３のいずれかに記載のデータ伝送システム。
【請求項１５】
データカルーセル方式で伝送されるファイルデータがデータ放送のデータであり、圧縮されて伝送されるデータが映像データ及び／又は音声データであることを特徴とする請求項１１から請求項１４のいずれかに記載のデータ伝送システム。
【請求項１６】
データカルーセル方式で伝送されるファイルデータと、複数の圧縮されたデータとを多重して伝送するデータ伝送システムにおいて、
データカルーセル方式で伝送される複数のファイルデータと、
伝送する複数のデータと、
前記複数のデータの各々を所定の圧縮率で圧縮する圧縮手段と、
前記データカルーセル方式のファイルデータと前記圧縮されたデータとを多重化する多重化手段と、
前記複数のファイルデータを監視し、ファイルデータの更新があった場合、更新されたファイルデータのデータ更新量を検出する手段と、
前記更新されたファイルデータの送出の終了を検出する手段と、
前記データ更新量が所定の閾値を超えた場合、前記圧縮手段を制御して任意のデータの圧縮率を上げ、前記更新されたファイルデータ送出の終了が検出されると、前記圧縮手段を制御して前記任意のデータの圧縮率を元に戻す圧縮制御手段と、
前記データ更新量が所定の閾値を超えた場合、データカルーセル方式で伝送されるファイルデータの伝送ビットレートに、他のデータの圧縮率が上がったことによって生じる伝送レート分を追加し、前記ファイルデータの伝送レートを増加する手段と、
前記更新されたファイルデータの送出の終了が検出された場合には、ファイルデータの伝送レートを元に戻す手段と
を有することを特徴とするデータ伝送システム。
【発明の詳細な説明】
【０００１】
【発明が属する技術分野】
本発明はデータ伝送方法及びそのシステムに関し、特にデータカルーセル方式で伝送されるデータを効率良く伝送するデータ伝送方法及びそのシステムに関する。
【０００２】
【従来の技術】
近年のデジタル化に伴い、放送事業でもデジタル放送の実用化が行われようとしており、そのデジタル放送の一つのサービスとして、データ放送がある。このデータ放送は、データカルーセル方式で伝送されることが検討されている。そのデータカルーセル方式は、図１に示される如く、複数のファイルを回転木馬の如く並べて送出していくデータ伝送方式である。この方式によれば、１周期ごとに同じファイルが送出されることとなる。
【０００３】
一方、デジタル伝送においては、データを圧縮して伝送できるので、多くの種類のデータを多重して伝送可能である。例えば、複数の映像データと、上述したデータカルーセル方式で送出されるデータとを多重化して同じデータストリームで伝送することも可能である。
【０００４】
【発明が解決しようとする課題】
しかしながら、上述したデータカルーセル方式は、伝送すべきデータファイルを定まったビットレートで順番に送出するため、あるファイルが更新されたとしてもそのファイルの送出順番になるまでそのファイルの更新が反映されないという欠点があった。
【０００５】
また、データカルーセル方式のデータと他のデータとを多重化して伝送する場合において、例えばデータカルーセル方式の全ファイルが更新された場合、その更新状況が反映されるためには決まった伝送ビットレートで１周期分の時間を必要とし、多くの時間がかかるという欠点もあった。
【０００６】
そこで、本発明は上記課題を鑑みて発明されたものであって、その目的はデータカルーセル方式の伝送方式において、データファイルの更新を短時間で反映することができるデータ伝送方法及びそのシステムを提供することにある。
【０００７】
また、本発明の目的は、データカルーセル方式の伝送方式のデータと他のデータとを多重化して伝送する場合において、データカルーセル方式の伝送方式のデータファイルが多量に更新された場合であっても、データファイルの更新を短時間で反映することができるデータ伝送方法及びそのシステムを提供することにある。
【０００８】
【課題を解決するための手段】
上記目的を達成する第１の発明は、複数のファイルデータをデータカルーセル方式で伝送するデータ伝送方法において、
データカルーセル方式で伝送される複数のファイルデータの更新を監視するステップと、
更新されたファイルデータを検出した場合、前記検出された更新されたファイルデータの送出順序を上位に変更するステップと
を有することを特徴とする。
【０００９】
上記目的を達成する第２の発明は、上記第１の発明において、更新されたファイルデータの送出順序を最上位に変更することを特徴とする。
【００１０】
上記目的を達成する第３の発明は、データカルーセル方式で伝送されるファイルデータと、複数の圧縮されたデータとを多重して伝送するデータ伝送方法において、
データカルーセル方式で伝送される複数のファイルデータの更新を監視するステップと、
更新されたファイルデータを検出した場合、前記検出された更新されたファイルデータの送出順序を上位に変更するステップと
を有することを特徴とする。
【００１１】
上記目的を達成する第４の発明は、上記第３の発明において、更新されたファイルデータの送出順序を最上位に変更することを特徴とする。
【００１２】
上記目的を達成する第５の発明は、上記第１又は第２の発明において、更新されたファイルデータの更新データ量を検出するステップと、
前記更新データ量が所定の閾値を超えた場合、他の圧縮されて伝送されるデータのうち任意のデータの圧縮率を上げ、データカルーセル方式で伝送されるファイルデータの伝送ビットレートを上げて送出するステップと、
前記更新されたファイルデータ送出の終了を検出するステップと、
前記更新されたファイルデータ送出の終了が検出されると、圧縮率を上げられたデータの圧縮率を元に戻して送出するステップと
を有することを特徴とする。
【００１３】
上記目的を達成する第６の発明は、上記第３、第４又は第５の発明において、前記任意のデータは、最も圧縮率が低いデータであることを特徴とする。
【００１４】
上記目的を達成する第７の発明は、上記第３、第４、第５又は第６の発明において、データカルーセル方式で伝送されるファイルデータがデータ放送のデータであり、圧縮されて伝送されるデータが映像データ及び／又は音声データであることを特徴とする。
【００１５】
上記目的を達成する第８の発明は、データカルーセル方式で伝送されるファイルデータと、複数の圧縮されたデータとを多重して伝送するデータ伝送方法において、
更新されたファイルデータの更新データ量を検出するステップと、
前記更新データ量が所定の閾値を超えた場合、他の圧縮されて伝送されるデータのうち任意のデータの圧縮率を上げ、データカルーセル方式で伝送されるファイルデータの伝送ビットレートを上げて送出するステップと、
前記更新されたファイルデータ送出の終了を検出するステップと、
前記更新されたファイルデータ送出の終了が検出されると、圧縮率を上げられたデータの圧縮率を元に戻して送出するステップと
を有することを特徴とする。
【００１６】
上記目的を達成する第９の発明は、複数のファイルデータをデータカルーセル方式で伝送するデータ伝送システムであって、
データカルーセル方式で伝送される複数のファイルデータと、
前記ファイルデータを更新する更新手段と、
前記複数のファイルデータの更新を監視する監視手段と、
前記監視手段によって更新されたファイルデータを検出した場合、前記検出された更新されたファイルデータの送出順序を上位に変更して送出する送出順序変更手段と
を有することを特徴とする。
【００１７】
上記目的を達成する第１０の発明は、上記第９の発明において、更新されたファイルデータの送出順序を最上位に変更することを特徴とする。
【００１８】
上記目的を達成する第１１の発明は、データカルーセル方式で伝送されるファイルデータと、複数の圧縮されたデータとを多重して伝送するデータ伝送システムにおいて、
データカルーセル方式で伝送される複数のファイルデータと、
伝送する複数のデータと、
前記複数のデータの各々を所定の圧縮率で圧縮する圧縮手段と、
前記データカルーセル方式のファイルデータと前記圧縮されたデータとを多重化する多重化手段と、
前記ファイルデータを更新する更新手段と、
前記複数のファイルデータの更新を監視する監視手段と、
前記監視手段によって更新されたファイルデータを検出した場合、前記検出された更新されたファイルデータの送出順序を上位に変更し、前記多重化手段に送出する送出順序変更手段と
を有することを特徴とする。
【００１９】
上記目的を達成する第１２の発明は、上記第１１の発明において、更新されたファイルデータの送出順序を最上位に変更することを特徴とする。
【００２０】
上記目的を達成する第１３の発明は、上記第１１又は第１２の発明において、更新されたファイルデータの更新データ量を検出する手段と、
前記更新されたファイルデータ送出の終了を検出する手段と、
前記更新データ量が所定の閾値を超えた場合、前記圧縮手段を制御して任意のデータの圧縮率を上げ、前記更新されたファイルデータ送出の終了が検出されると、前記圧縮手段を制御して前記任意のデータの圧縮率を元に戻す圧縮制御手段と、
前記データ更新量が所定の閾値を超えた場合、データカルーセル方式で伝送されるファイルデータの伝送ビットレートに、他のデータの圧縮率が上がったことによって生じる伝送レート分を追加し、前記ファイルデータの伝送レートを増加する手段と、
前記更新されたファイルデータの送出の終了が検出された場合には、ファイルデータの伝送レートを元に戻す手段と
を有することを特徴とする。
【００２１】
上記目的を達成する第１４の発明は、上記第１１、第１２又は第１３の発明において、前記任意のデータは、最も圧縮率が低いデータであることを特徴とする。
【００２２】
上記目的を達成する第１５の発明は、上記第１１、第１２、第１３又は第１４の発明において、データカルーセル方式で伝送されるファイルデータがデータ放送のデータであり、圧縮されて伝送されるデータが映像データ及び／又は音声データであることを特徴とする。
【００２３】
上記目的を達成する第１６の発明は、データカルーセル方式で伝送されるファイルデータと、複数の圧縮されたデータとを多重して伝送するデータ伝送システムにおいて、
データカルーセル方式で伝送される複数のファイルデータと、
伝送する複数のデータと、
前記複数のデータの各々を所定の圧縮率で圧縮する圧縮手段と、
前記データカルーセル方式のファイルデータと前記圧縮されたデータとを多重化する多重化手段と、
前記複数のファイルデータを監視し、ファイルデータの更新があった場合、更新されたファイルデータのデータ更新量を検出する手段と、
前記更新されたファイルデータの送出の終了を検出する手段と、
前記データ更新量が所定の閾値を超えた場合、前記圧縮手段を制御して任意のデータの圧縮率を上げ、前記更新されたファイルデータ送出の終了が検出されると、前記圧縮手段を制御して前記任意のデータの圧縮率を元に戻す圧縮制御手段と、
前記データ更新量が所定の閾値を超えた場合、データカルーセル方式で伝送されるファイルデータの伝送ビットレートに、他のデータの圧縮率が上がったことによって生じる伝送レート分を追加し、前記ファイルデータの伝送レートを増加する手段と、
前記更新されたファイルデータの送出の終了が検出された場合には、ファイルデータの伝送レートを元に戻す手段と
を有することを特徴とする。
【００２４】
【発明の実施の形態】
本発明の第１の実施の形態を説明する。
【００２５】
まず、本発明のデータ伝送方法について述べる。図１及び図２は本発明のデータ伝送方法を説明する為の図である。
【００２６】
図１では、ファイルＡからファイルＨまでが、リング状の送出順序に並べられている。すなわち、ファイルＡ、ファイルＢ…ファイルＧ、ファイルＨで１周期を構成し、ファイルＨの送出が終わると、再びファイルＡ、ファイルＢ…の順番で送出される。
【００２７】
ここで、現在送出中のファイルをファイルＡとし、ファイルＦが更新されたとする。しかしながら、従来のデータカルーセル方式では、ファイルＦの更新にかかわらず、ファイルＦの送出順序は変わらない。
【００２８】
そこで、本発明では、ファイルＡからファイルＨのファイルの更新を監視し、ファイルの更新があった場合、送出順番を変更して更新のあったファイルの送出順番を繰り上げる。上述の場合では、図２に示す如く、更新のあったファイルＦの送出順番を繰り上げ、通常の送出順番であるファイルＢの送出に先立ってファイルＦを送出する。そして、ファイルＦの送出が終了すると、送出の順番を元に戻す。
【００２９】
続いて、上述の方法を実現する伝送システムについて述べる。
【００３０】
図３は伝送システムのブロック図である。
【００３１】
図３中、１はデータカルーセル方式で伝送されるファイル群（ファイルＡ、ファイルＢ…ファイルＧ、ファイルＨ）である。２はファイル群１を監視し、いずれのファイルが更新されたかを検出するファイル群監視部である。３はファイル送出順番制御部である。このファイル送出順番制御部３は、予め定まった送出順序でファイル群１からファイルを読み出してファイルを送出するように構成されている。また、ファイル群監視部２からの検出信号があると、検出信号で示されるファイルの送出順番を繰り上げるように構成されている。
【００３２】
次に、上記構成における動作を説明する。
【００３３】
図４は第１の実施の形態の動作を説明する動作フローチャートである。
【００３４】
まず、ファイル群監視部２は、ファイル群１の更新状況を監視する（Ｓｔｅｐ１００）。ファイルの更新があると（Ｓｔｅｐ  １０１）、更新のあったファイル名を送出順番制御部３に出力する（Ｓｔｅｐ  １０２）。
【００３５】
送出順番制御部３は、ファイル群監視部２から更新のあったファイル名を受け取ると、次送出順番のファイルの代わりにそのファイル名のファイルをファイル群１から読み出し、送出の順番を変更する（Ｓｔｅｐ  １０３）。例えば、現在送出中のファイルをファイルＡとし、ファイルＦが更新されたとする。そこで、送出順番制御部３は、ファイルＢの読み出しに代えて、ファイルＦを読み出してファイルの送出順番を繰り上げて送出する。
【００３６】
送出順番制御部３は、更新のあったファイルの送出のチェックを行い（Ｓｔｅｐ  １０４）、ファイルの送出が終了すると（Ｓｔｅｐ  １０５）、予め定まった送出順序に復帰し、ファイルの送出を開始する（Ｓｔｅｐ  １０６）。
【００３７】
上述の場合では、更新のあったファイルＦの送出が終了すると、通常の送出順番であるファイルＢを送出する。以下、送出順番に従って、ファイルＣ、ファイルＤ…ファイルＦ、ファイルＧというように通常の送出順番に従って送出していく。
【００３８】
本発明の第２の実施の形態について述べる。
【００３９】
第２の実施の形態は、データカルーセル方式で伝送されるファイルデータと、他のデータ、例えば映像データなどのデータとを多重化して伝送する場合について、上述した実施の形態を適用するとともに、さらにデータカルーセル方式で伝送されるファイルデータを効率良く伝送するように構成したことを特徴とする。
【００４０】
尚、本実施の形態では、伝送するデータとして、映像データ１０及び映像データ２０とデータカルーセル方式で伝送されるファイルデータとを想定する。また、上述した第１の実施の形態の構成と同様なものについては、同じ番号を付して詳細な説明を省略する。
【００４１】
図５は第２の実施の形態のブロック図である。
【００４２】
図５中、２０は映像データ１０を所定の圧縮率で圧縮するエンコーダであり、２１は映像データ１１をエンコーダ２０の圧縮率よりも大きい圧縮率で圧縮するエンコーダであり、２２はエンコーダ２０，２１から出力されたデータと、ファイル送出順番制御部３から出力されるデータとを多重化する多重部である。
【００４３】
さらに、本実施の形態では、ファイル群監視部２の機能として上述した第１の実施の形態の機能に加え、ファイル群全体の更新量を監視する機能を持たせ、ファイル群全体の更新量が所定の閾値（予め記憶されている）を超えた場合、ファイルの更新量が閾値を超えたことを示す検出信号をエンコーダ２０と送出順番制御部３とに出力するように構成する。エンコーダ２０では、検出信号に応答して、通常の圧縮率よりも大きい圧縮率（予め記憶されている）で映像データ１０を圧縮するように構成する。また、送出順番制御部３では、エンコーダ２０の圧縮率が大きくなったことにともない、通常映像データに割り当てられている伝送ビットレートに低くすることができた分を、データカルーセル方式で伝送されるファイルデータの伝送ビットレートに追加して伝送速度を上げる。
【００４４】
次に、上記のような構成において、動作を説明する。
【００４５】
図６は第２の実施の形態の動作を説明する動作フローチャートである。
【００４６】
まず、ファイル群監視部２は、ファイル群１の更新状況を監視する（Ｓｔｅｐ２００）。ファイルの更新があると（Ｓｔｅｐ  ２０１）、更新のあったファイル名を送出順番制御部３に出力する（Ｓｔｅｐ  ２０２）。
【００４７】
送出順番制御部３は、ファイル群監視部２から更新のあったファイル名を受け取ると、次送出順番のファイルの代わりにそのファイル名のファイルをファイル群１から読み出し、送出の順番を変更する（Ｓｔｅｐ  ２０３）。例えば、現在送出中のファイルをファイルＡとし、ファイルＦが更新されたとする。そこで、送出順番制御部３は、ファイルＢの読み出しに代えて、ファイルＦを読み出してファイルの送出順番を繰り上げて送出する。
【００４８】
ここまでの動作は第１の実施の形態と同様である。
【００４９】
続いて、更新されたファイルの更新量を検出する（Ｓｔｅｐ  ２０４）。更新量が所定の閾値を超えている場合（Ｓｔｅｐ  ２０５）、検出信号をエンコーダ２０に出力する（Ｓｔｅｐ  ２０６）。
【００５０】
検出信号を受信したエンコーダ２０では、圧縮率を変更し、通常の圧縮率よりも大きい圧縮率で映像データ１０を圧縮する（Ｓｔｅｐ  ２０７）。
【００５１】
検出信号を受信した送出順番制御部３では、エンコーダ２０の圧縮率が大きくなったことにともない、通常映像データの伝送に割り当てられている伝送ビットレートを低下することができた分を、データカルーセル方式で伝送されるファイルデータの伝送ビットレートに追加して伝送速度を上げる（Ｓｔｅｐ  ２０８）。
【００５２】
送出順番制御部３では、更新のあったファイルの送出のチェックを行い（Ｓｔｅｐ  ２０９）、ファイルの送出が終了すると（Ｓｔｅｐ  ２１０）、送出順番を予め定まった送出順番に復帰するとともに、伝送速度も元の伝送ビットレートに復帰する（Ｓｔｅｐ  ２１１）。そして、ファイルの送出が終了したことを示す送出終了信号を、エンコーダ２０に出力して圧縮率を通常の圧縮率に戻して映像データ１０を圧縮する（Ｓｔｅｐ  ２１２）。
【００５３】
このような動作を示したのが、図７である。
【００５４】
図７によれば、ファイルの更新量が所定の閾値を超えた時点（図７中のＸ点）を境にして、エンコーダ２０の圧縮率が変更され、通常の伝送ビットレートよりも遅い伝送ビットレートで映像データ１０を伝送できる分、その余った伝送レートをデータカルーセル方式で伝送されるファイルデータの伝送ビットレートに追加してファイルデータの伝送ビットレートが増加していること示している。
【００５５】
また、更新されたデータカルーセル方式のファイルデータの送出が終了した時点（図７中のＹ点）を境にして、エンコーダ２０の圧縮率が元に戻され、映像データ１０の伝送ビットレートとデータカルーセル方式で伝送されるファイルデータの伝送ビットレートとが元に戻っていることを示している。
【００５６】
例えば、映像データ１０をテレビ放送（ＳＤＴＶ映像、音声）としてその伝送ビットレートを１０Ｍｂｐｓ、映像データ１１をテレビ放送（ＳＤＴＶ映像、音声）としてその伝送ビットレートを８Ｍｂｐｓ、ファイルデータ群１をデータ放送としてその伝送ビットレートを２Ｍｂｐｓとし、全体で２０Ｍｂｐｓの伝送ビットレートの場合を考える。
【００５７】
この場合、ファイルの更新量が所定の閾値を超えた時点（図７中のＸ点）を境にして、エンコーダ２０の圧縮率が変更され、通常の伝送ビットレート１０Ｍｂｐｓよりも遅い伝送ビットレート８Ｍｂｐｓで映像データ１０が伝送される。そして、余った伝送ビットレート２Ｍｂｐｓをデータカルーセル方式で伝送されるファイルデータ群１の伝送ビットレートに追加してファイルデータの伝送ビットレート４Ｍｂｐｓにすることができる。
【００５８】
さらに、更新されたデータカルーセル方式のファイルデータ群１の送出が終了した時点（図７中のＹ点）を境にして、エンコーダ２０の圧縮率が元に戻され、映像データ１０の伝送ビットレートが８Ｍｂｐｓから１０Ｍｂｐｓになり、データカルーセル方式で伝送されるファイルデータ群１の伝送ビットレートが４Ｍｂｐｓから２Ｍｂｐｓになり、映像データ１０の伝送ビットレートとファイルデータの伝送ビットレートとが元に戻される。
【００５９】
このように、大量に更新が行われた場合、データカルーセル方式で伝送されるファイルデータの帯域を一時的に増加させることで、ファイルの更新を効率的に反映させることができる。
【００６０】
尚、第２の実施の形態では、第１の実施の形態で述べた構成も加えて説明したが、第２の実施の形態の特徴的な構成、すなわち、他のデータの圧縮率を変更させることによって、データカルーセル方式で伝送されるファイルデータの伝送ビットレートを上げる構成のみを用いることも可能である。
また、上述の実施の形態では、圧縮されるデータの例として映像データ及び音声データを用いたが、音声データ又は映像データだけであっても良い。
【００６１】
【発明の効果】
本発明によれば、はデータカルーセル方式の伝送方式において、データファイルの更新を短時間で反映することができる。
また、本発明によれば、データカルーセル方式の伝送方式のデータと他のデータとを多重化して伝送する場合において、データカルーセル方式の伝送方式のデータファイルが多量に更新された場合であっても、データファイルの更新を短時間で反映することができる。
【図面の簡単な説明】
【図１】図１はデータカルーセル方式を説明するための図である。
【図２】図２は第１の実施の形態を説明するための図である。
【図３】図３は第１の実施の形態のブロック図である。
【図４】図４は第１の実施の形態の動作フローチャートである。
【図５】図５は第２の実施の形態のブロック図である。
【図６】図６は第２の実施の形態の動作フローチャートである。
【図７】図７は第２の実施の形態を説明するための図である。
【符号の説明】
１            ファイル群
２            ファイル群監視部
３            ファイル送出順番制御部
２０，２１    エンコーダ
２２          多重部
【図１】
0004448245.tif 000002
【図２】
0004448245.tif 000003
【図３】
0004448245.tif 000004
【図４】
0004448245.tif 000005
【図５】
0004448245.tif 000006
【図６】
0004448245.tif 000007
【図７】
0004448245.tif 000008